(57)【要約】  基板側端子(９０)の導電性平面(９２)に対してスライド可能なガイドする筐体(１４)と、筐体(１４)に支持されて導電性平面(９２)に弾発的に接触するばね片(３４)とを設け、ばね片(３４)を、基板側端子(９０)に対するスライドにより導電性平面(９２)によって押圧部(４６)が押圧されることにより、接点部(４８)が導電性平面(９２)が通る軌跡内に進入する側に移動して当該接点部(４８)が基板側端子(９０)との接点をなすように構成する。
2017069076.tif 000002
【特許請求の範囲】
【請求項１】
接続相手の端子を備えた平面部に対するスライドにより前記接続相手の端子と導通接続されるコネクタ端子であって、  前記接続相手の端子に対して相対的にスライド可能な筐体および前記筐体に接続されたばね片を含み、  前記ばね片は、押圧されていない自由状態において前記筐体より外方に位置し、前記平面部による押圧によって当該ばね片の弾性変形のもとに前記筐体内へ向けて移動する押圧部と、前記自由状態において前記筐体内に位置し、前記押圧部の前記移動に伴って前記筐体より外方に位置する側に移動して前記接続相手の端子と導通接触する接点部とを有するコネクタ端子。
【請求項２】
前記接続相手の端子は、プリント回路基板に形成され、前記平面部をなす導電性平面を備えた基板側端子である請求項１に記載のコネクタ端子。
【請求項３】
前記筐体は前記ばね片の前記押圧部と前記接点部との間の部分を支点として支持する支持部を有し、前記押圧部が力点をなし、前記接点部が作用点をなす請求項１又は２に記載のコネクタ端子。
【請求項４】
前記支持部は前記ばね片の前記押圧部側に向けて上り勾配を有する斜面を含み、前記ばね片は前記斜面に摺動可能に当接して前記押圧部と前記接点部との中間部を前記支点として前記筐体より揺動可能に支持されている請求項３に記載のコネクタ端子。
【請求項５】
前記筐体は矩形の底片と前記底片の両側縁に沿って各々延在する側竪片とによる溝形断面形状部を有し、  前記支持部は前記側竪片の各々に設けられた開口により構成され、前記中間部が前記ばね片から外方に延出して前記開口に係合する張出片により構成されている請求項４に記載のコネクタ端子。
【請求項６】
前記押圧部は前記平面部によって押圧されることにより、前記接続相手の端子との追加の接点部をなす請求項１から５の何れか一項に記載のコネクタ端子。
【請求項７】
前記筐体は矩形の底片と前記底片の両側縁に沿って各々延在する側竪片とによる溝形断面形状部を有し、  前記接点部は前記自由状態において前記溝形断面形状部内に格納される請求項１から６の何れか一項に記載のコネクタ端子。
【請求項８】
前記ばね片は、前記筐体に固定された基端部と、前記基端部から前記押圧部にかけて前記接続相手の端子に対するスライド方向の一方の側に延出し、前記押圧部から前記接点部にかけて前記接続相手の端子に対するスライド方向の他方の側に延在するように折り返されている請求項１から７の何れか一項に記載のコネクタ端子。
【請求項９】
前記筐体と前記ばね片とが一体構造である請求項１から８の何れか一項に記載のコネクタ端子。
【請求項１０】
請求項１から９の何れか一項に記載のコネクタ端子の製造方法であって、  １枚の板材を前記コネクタ端子の全体を含む展開形状に打抜いて打抜き板を製作する打抜き工程と、  前記打抜き板を折曲することにより、前記コネクタ端子を成形する折曲工程とを有するコネクタ端子の製造方法。
【発明の詳細な説明】
【技術分野】
【０００１】  本発明は、コネクタ端子およびその製造方法に関し、更に詳細には、カードエッジコネクタ等に用いられるスライド式のコネクタ端子およびその製造方法に関する。
【背景技術】
【０００２】  カードエッジ端子（基板側端子）との接続ためのコネクタ端子として、端子の外郭をなしてカードエッジ端子に対するスライドをガイドする四角形断面形状の筐体に、カードエッジ端子の導電部に接触して導通接続を行う接点部を有するばね片が設けられたものが知られている（例えば、特許文献１）。
【先行技術文献】
【特許文献】
【０００３】
【特許文献１】特開２０１４−３００７号公報
【発明の概要】
【発明が解決しようとする課題】
【０００４】  上述のコネクタ端子は、コネクタ端子がカードエッジ端子に接続されていない自由状態において、接点部が筐体より外方に突出している。このため、組立時等において接点部に物が衝突する等してばね片が変形する虞がある。ばね片の変形はコネクタ端子とカードエッジ端子との導通不良の原因になる。【０００５】  防水仕様のために、コネクタ端子にゴムパッキングが装着されるものでは、組付に際して、ゴムパッキングに形成されているコード挿通用の貫通孔にコネクタ端子を挿入する際に、接点部が貫通孔の内周面に接触しながら通過することになる。このため、接点部の表面に、貫通孔の内周面に付着しているシリコンオイル等の離型剤や潤滑剤が付着する。接点部における離型剤や潤滑剤等の不純物の付着は、コネクタ端子とカードエッジ端子との導通不良の原因になる。【０００６】  本発明が解決しようとする課題は、コネクタ端子において接点部を有するばね片が組付時等に変形したり、接点部の表面に不純物が付着したりすることによる導通不良の発生を回避し、信頼性が高い良好な導通接続が行われるようにすることである。
【課題を解決するための手段】
【０００７】  本発明によるコネクタ端子は、接続相手の端子（９０）を備えた平面部（９２）に対するスライドにより前記接続相手の端子（９０）と導通接続されるコネクタ端子（１０）であって、前記接続相手の端子（９０）に対して相対的にスライド可能な筐体（１４）および前記筐体（１４）に接続されたばね片（３４）を含み、前記ばね片（３４）は、押圧されていない自由状態において前記筐体（１４）より外方に位置し、前記平面部（９２）による押圧によって当該ばね片（３４）の弾性変形のもとに前記筐体（１４）内へ向けて移動する押圧部（４６）と、前記自由状態において前記筐体（１４）内に位置し、前記押圧部（４６）の前記移動に伴って前記筐体（１４）より外方に位置する側に移動して前記接続相手の端子（９０）と導通接触する接点部（４８）とを有する。【０００８】  この構成によれば、接点部（４８）は、自由状態においては、筐体（１４）内にあるので、接点部（４８）に外力が加わることによってばね片（３４）が変形したり、接点部（４８）の表面に不純物が付着したりし難くなる。これにより、導通不良が発生し難くなり、信頼性が高い良好な導通接続が行われる。【０００９】  前記接続相手の端子は、プリント回路基板（９４）に形成され、前記平面部をなす導電性平面（９２）を備えた基板側端子（９０）であってよい。【００１０】  本発明によるコネクタ端子は、好ましくは、前記筐体（１４）は前記ばね片（３４）の前記押圧部（４６）と前記接点部（４８）との間の部分を支点として支持する支持部（５４）を有し、前記押圧部（４６）が力点をなし、前記接点部（４８）が作用点をなす。【００１１】  この構成によれば、押圧部（４６）と接点部（４８）との間の部分を支点、押圧部（４６）を力点、接点部（４８）を作用点とする梃子が構成され、押圧部（４６）が押圧されると、梃子の動作の下に、接点部（４８）が筐体（１４）より外方に位置する側に移動して接続相手の端子（９０）と導通接触する移動する動作が再現性よく良好に行われる。【００１２】  本発明によるコネクタ端子は、好ましくは、前記支持部（５４）は前記ばね片（３４）の前記押圧部（４６）側に向けて上り勾配を有する斜面（５８）を含み、前記ばね片（３４）は前記斜面（５８）に摺動可能に当接して前記押圧部（４６）と前記接点部（４８）との中間部（５０）を前記支点として前記筐体より揺動可能に支持されている。【００１３】  この構成によれば、接点部（４８）が前記筐体（１４）より外方に位置する側に移動する際に、中間部（５０）と斜面（５８）との接触点が、前記筐体（１４）の外方側に変位するから、平面部（９２）に対する接点部（４８）の押付力が増大し、接点部（４８）と平面部（９２）との接触が高い接触圧をもって良好に行われる。【００１４】  本発明によるコネクタ端子は、好ましくは、前記筐体（１４）は矩形の底片（１６）と前記底片（１６）の両側縁に沿って各々延在する側竪片（１８、２０）とによる溝形断面形状部（２２）を有し、前記支持部は前記各側竪片に設けられた開口（５４）により構成され、前記中間部が前記ばね片から外方に延出して前記開口（５４）に係合する張出片（５０）により構成されている。【００１５��  この構成によれば、枢軸部材等を必要とすることなく簡素な構造によってばね片（３６）の枢支が行われる。【００１６】  本発明によるコネクタ端子は、好ましくは、前記押圧部（４６）は前記平面部（９２）によって押圧されることにより、前記接続相手の端子（９０）との追加の接点部をなす。【００１７】  この構成によれば、接点部（４８）に加えて押圧部（４６）も端子（９０）との導通接続に寄与し、導通接続の信頼性が向上する。【００１８】  本発明によるコネクタ端子は、好ましくは、前記筐体（１４）は矩形の底片（１６）と前記底片（１６）の両側縁に沿って各々延在する側竪片（１８、２０）とによる溝形断面形状部（２２）を有し、前記接点部（４８）は前記自由状態において前記溝形断面形状部（２２）内に格納される。【００１９】  この構成によれば、接点部（４８）は、自由状態においては、溝形断面形状部内（２２）に格納されるから、接点部（４８）に不用意に外力が加わることによってばね片（３４）が変形したり、接点部（４８）の表面に不純物が付着したりすることが生じ難くなる。【００２０】  本発明によるコネクタ端子は、好ましくは、前記ばね片（３４）は、前記筐体（１４）に固定された基端部（３６）と、前記基端部（３６）から前記押圧部（４６）にかけて前記接続相手の端子（９０）に対するスライド方向の一方の側に延出し、前記押圧部（４６）から前記接点部（４８）にかけて前記接続相手の端子（９０）に対するスライド方向の他方の側に延在するように折り返されている。【００２１】  この構成によれば、ばね片（３４）にヘアピン形状部（４４）が得られ、押圧部（４６）が押圧されることにより、ヘアピン形状部（４４）が弾性変形して接点部（４８）が筐体（１４）外に移動する動作およびそれとは逆の復元動作が再現性よく良好に行われる。【００２２】  本発明によるコネクタ端子は、好ましくは、前記筐体（１４）と前記ばね片（３６）とが一体構造である。【００２３】  この構成によれば、部品点数の削減が図られ、組付作業を必要としない。【００２４】  本発明によるコネクタ端子の製造方法は、上述の発明によるコネクタ端子（１０）の製造方法であって、１枚の板材を前記コネクタ端子（１０）の全体を含む展開形状に打抜いて打抜き板（Ｗ）を製作する打抜き工程と、前記打抜き板（Ｗ）を折曲することにより、前記コネクタ端子を成形する折曲工程とを有する。【００２５】  この構成によれば、打抜き板（Ｗ）の打抜き工程と打抜き板（Ｗ）の折曲工程とにより、コネクタ端子（１０）を生産性よく安価に生産することができる。【００２６】  また、本発明によるコネクタ端子は、導電性平面（９２）を備えた基板側端子（９０）に導通接続されるコネクタ端子（１０）であって、前記コネクタ端子（１０）が当該コネクタ端子（１０）の前記基板側端子（９０）に対する接続が完了した接続完了位置にあるとき前記基板側端子（９０）の前記導電性平面（９２）に弾発的に接触する接触部（４８）を有するばね片（３４）と、前記ばね片（３４）を支持すると共に、前記基板側端子（９０）の前記基板側端子（９０）の前記導電性平面（９２）に沿った前記コネクタ端子（１０）の前記接続完了位置に向かうスライドをガ��ドするよう構成された筐体（１４）とを有し、前記ばね片（３４）は、外力が加わっていない自由状態において、前記コネクタ端子（１０）が前記接続完了位置に向かって前記基板側端子（９０）の前記導電性平面（９２）に沿ってスライドする際に前記導電性平面（９２）が通る軌跡に進入する位置にある押圧部（４６）を更に有し、前記接触部（４８）は、前記押圧部（４６）の前記自由状態において、前記基板側端子（９０）の前記導電性平面（９２）の前記軌跡に干渉しない位置にあり、更に、前記ばね片（３４）は、前記接続完了位置に向かう前記コネクタ端子（１０）の前記基板側端子（９０）に対するスライドにおいて、前記押圧部（４６）が前記導電性平面（９２）によって押圧されると、前記接触部（４８）が前記導電性平面（９２）に弾発接触するべく前記導電性平面（９２）に向けて移動するように構成されている。【００２７】  この構成によれば、接点部（４８）は、自由状態においては、筐体（１４）内にあるので、接点部（４８）に外力が加わることによってばね片（３４）が変形したり、接点部（４８）の表面に不純物が付着したりし難くなる。これにより、導通不良が発生し難くなり、信頼性が高い良好な導通接続が行われる。【００２８】  また、本発明によるコネクタ端子は、導電性平面（９２）を備えた基板側端子（９０）に対する前記導電性平面（９２）に沿ったスライドにより前記基板側端子（９０）と導通接続されるコネクタ端子（１０）であって、前記基板側端子（９０）に対して相対的にスライド可能な筐体（１４）と、前記筐体（１４）に支持され、前記導電性平面（９２）に弾発的に接触可能なばね片（３４）とを有し、前記ばね片（３４）は、前記筐体（１４）に固定された基端部（３６）と、自由状態において前記基板側端子（９０）に対するスライドに際して前記導電性平面（９２）が通る軌跡に進入する中間部（４６）と、外力が加わっていない自由状態において前記軌跡に干渉しない位置にある遊端部（４８）とを含み、前記コネクタ端子（１０）の前記基板側端子（９０）に対するスライドにより前記導電性平面（９２）によって前記中間部（４６）が押圧されることにより前記遊端部（４８）が前記軌跡内に進入する側に移動して当該遊端部（４８）が前記基板側端子（９０）との接点部（４８）をなすように前記ばね片（３４）が構成されている。【００２９】  この構成によれば、遊端部（４８）は、自由状態においては、導電性平面（９２）が通る軌跡に干渉しない位置にあるので、遊端部（４８）に外力が加わることによってばね片（３４）が変形したり、遊端部（４８）の表面に不純物が付着したりし難くなる。これにより、導通不良が発生し難くなり、信頼性が高い良好な導通接続が行われる。
【発明の効果】
【００３０】  本発明によるコネクタ端子によれば、接点部を有するばね片が組付時等に変形したり、接点部の表面に不純物が付着したりすることが回避され、導通不良が発生することがなく、信頼性が高い良好な導通接続が行われる。
【図面の簡単な説明】
【００３１】
【図１】本発明によるコネクタ端子の実施形態１を示す右側面図
【図２】実施形態１によるコネクタ端子の平面図
【図３】図２の線III−IIIに沿った断面図
【図４】実施形態１によるコネクタ端子の斜視図
【図５】実施形態１によるコネクタ端子の要部の斜視断面図
【図６】実施形態１によるコネクタ端子の接続初期の状態を示す要部の断面図
【図７】実施形態１によるコネクタ端子の接続完了の状態を示す要部の断面図
【図８】実施形態１によるコネクタ端子が用いられた防水型のカードエッジ用多極コネクタの斜視図
【図９】防水型のカードエッジ用多極コネクタにおけるコネクタ端子の組付工程を示す断面図
【図１０】実施形態１によるコネクタ端子の素材である打抜き板の平面図
【図１１】実施形態１によるコネクタ端子の折曲工程の詳細を示す斜視図
【図１２】本発明によるコネクタ端子の実施形態２の要部を示す断面図
【図１３】本発明によるコネクタ端子の実施形態３の要部を示す断面図
【発明を実施するための形態】
【００３２】  以下に、本発明によるコネクタ端子の実施形態１を、図１〜図７を参照して説明する。なお、以下の説明では、上下、前後、左右を図示の如く定義し、相手側端子に対するコネクタ端子のスライド面を上面とするが、これは、説明の便宜上のことであり、これに限られることはない。
【００３３】  コネクタ端子１０はカードエッジ用コネクタのためのである。コネクタ端子１０の接続相手は、図１、図２、図６に示されているように、プリント回路基板９４（以下、基板９４）の板面９６に形成されている基板側端子（カードエッジ端子）９０である。基板側端子９０は板面９６と同一平面の導電性平面９２を有する。
【００３４】  コネクタ端子１０は、基板９４の板面９６及び基板側端子９０の導電性平面９２に沿った前後方向のスライドにより基板側端子９０と導通接続されるスライド式の端子である。
【００３５】  コネクタ端子１０は、図１、図２、図４に示されているように、ケーブル１００の導体１０２を導通接続されたケーブル接続部１２と、ケーブル接続部１２の前側にあって基板側端子９０に対するコネクタ端子１０のスライドをガイドする筐体１４と、筐体１４に支持されて導電性平面９２および板面９６に弾発的に接触するばね片３４とを有し、全体を金属によって構成されている。
【００３６】  筐体１４は、基板側端子９０の導電性平面９２に対するスライド方向（前後方向）に長い矩形の底片１６と、底片１６の左右の側縁に沿って延在する左側竪片１８および右側竪片２０、１６Ｂとを有し、これらによって上側開口の溝形断面形状部２２を構成している。左側竪片１８の上縁と右側竪片２０の上縁とは、溝形断面形状部２２の前部、中間部および後部の各々において左右方向に横切って延在する連結片２４、２６、２８によって互いに連結されている。底片１６、左側竪片１８、右側竪片２０および連結片２４は、各々、前縁から溝形断面形状部２２の前端を閉じる側に折曲されて全体で四角錘状の尖った形状をなす先端片１６Ａ、１８Ａ、２０Ａ、２４Ａを有する。
【００３７】  左側竪片１８、右側竪片２０の上端面と連結片２４、２６の上面とは同一平面上にあり、これらが導電性平面９２とのスライド面３０をなしている。コネクタ端子１０は、基板９４に対し、スライド面３０がコネクタ端子１０の基板側端子９０に対するスライドに際して導電性平面９２および板面９６に対して平行になるように配置される。基板側端子９０に対する筐体１４のスライドは、基板側端子９０を保持するコネクタハウジング等に形成された別のスライドガイド（不図示）に案内されて行われる構造が採用されることにより、図１、図６、図７に示されているように、スライド面３０が板面９６に接触しない状態で行われてよい。
【００３８】  左側竪片１８は、更に、後部の連結片２８の前側に隣接する部位に、スライド面３０より上方に突出した突出片３２を一体に有する。
【００３９】  ばね片３４は、図３、図５〜図７に示されているように、導電性平面９２に対するスライド方向（前後方向）に延在しており、右側竪片２０の前側の下縁から底片１６上に重なるように折曲された基端部３６（図１１参照）と、基端部３６から後側（基板側端子９０に対するスライドの一方の側）に斜め上方に延出した下片３８および下片３８の後端にて半円筒状の折返し部４０によって下片３８に対して略１８０度上側に折曲して前方に延出する上片４２によるヘアピン形状部４４とを一体に有する。この構造により、筐体１４とばね片３４とを１枚の板材のプレス成形によって一体に構成することができ、複数部品および複数部品の組み付けを必要とすることがない。
【００４０】  折返し部４０はばね片３４の全体で見て後端部をなしている。折返し部４０の上側にはエンボス加工によって上方に突出した長円形の押圧部４６が形成されている。上片４２の前端は遊端であり、この遊端にはエンボス成形によって上方に突出した長円形の接点部４８が形成されている。接点部４８は接続相手である基板側端子９０（図６、図７参照）に接触する接点をなす。
【００４１】  上片４２は押圧部４６と接点部４８との前後方向の中間部において左右の側縁から各々左右外方に張り出した張出片５０を有する。張出片５０は、下側に凸の半円筒状に形成され、ばね片３４の筐体１４に対する枢支部をなす。左側竪片１８および右側竪片２０には上側が開放された開口５４が形成されている。開口５４の底部を画定する上面５８は、後側に向けて、換言すると、ばね片３４の折返し部４０側と同じ側に向けて、上り勾配を有する斜面になっている。上面５８には張出片５０が揺動可能且つ前後方向に摺動可能に当接している。これにより、開口５４は、押圧部４６と接点部４８との中間部を支点として上片４２を支持する支持部をなす。この支持により、上片４２は、押圧部４６が力点をなし、接点部４８が作用点をなす梃子を構成する。この梃子の支持構造、つまり上片４２の枢支構造は、枢軸部材等を必要とすることがなく、簡素且つ確実な、接点部４８の全体が溝形断面形状部２２内にあってスライド面３０より下方に位置する構造になる。
【００４２】  押圧部４６は、ヘアピン形状部４４が下方に向けて押圧されていない自由状態においては、図２〜図６に示されているように、筐体１４より外方、つまりスライド面３０より上方に位置する。押圧部４６は、コネクタ端子１０を基板側端子９０に接続する工程において、導電性平面９２が通る軌跡に進入し、導電性平面９２に接触することによって下方に向けて押圧されることにより、図７に示されているように、ヘアピン形状部４４の弾性変形のもとに上片４２が張出片５０を支点として梃子のように時計廻り方向に回動して下方へ変位し、溝形断面形状部２２内に没入するように移動する。
【００４３】  接点部４８は、押圧部４６が下方に向けて押圧されていない自由状態においては、図２〜図６に示されているように、全体が溝形断面形状部２２内にあってスライド面３０より下方に位置し、コネクタ端子１０を基板側端子９０に接続する工程において、導電性平面９２が通る軌跡に干渉しない位置にある。接点部４８は、コネクタ端子１０を基板側端子９０に接続する工程において押圧部４６が下方に向けて押圧されると、図７に示されているように、ヘアピン形状部４４の弾性変形と共に上片４２が張出片５０を支点として時計廻り方向に回動変位することにより、溝形断面形状部２２より上方に、つまりスライド面３０より上方に位置する側に移動する。これにより、接点部４８は、導電性平面９２が通る軌跡に進入する側に移動し、基板側端子９０の導電性平面９２に弾発的に接触し、基板側端子９０と導通接続される。
【００４４】  要約すれば、コネクタ端子１０は、当該コネクタ端子１０の基板側端子９０に対する接続が完了した接続完了位置にあるとき基板側端子９０の導電性平面９２に弾発的に接触する接触部４８を有するばね片３４と、ばね片３４を支持すると共に、基板側端子９０の基板側端子９０の導電性平面９２に沿ったコネクタ端子１０の接続完了位置に向かうスライドをガイドするよう構成された筐体１４とを有し、ばね片３４は、外力が加わっていない自由状態において、コネクタ端子１０が接続完了位置に向かって基板側端子９０の導電性平面９２に沿ってスライドする際に導電性平面９２が通る軌跡に進入する位置にある押圧部４６を更に有し、接触部４８は、押圧部４６の自由状態において、基板側端子９０の導電性平面９２の軌跡に干渉しない位置にあり、更に、ばね片３４は、接続完了位置に向かうコネクタ端子１０の基板側端子９０に対するスライドにおいて、押圧部４６が導電性平面９２によって押圧されると、接触部４８が導電性平面９２に弾発接触するべく導電性平面９２に向けて移動するように構成されている。
【００４５】  つぎに、基板側端子９０に対するコネクタ端子１０の接続動作について、図６および図７を参照して説明する。
【００４６】  図６は、接続初期の状態で、押圧部４６に基板９４の板面９６および導電性平面９２が当接しておらず、ヘアピン形状部４４に外力が与えられていない自由状態を示している。この自由状態では、接点部４８の全体が溝形断面形状部２２内にあってスライド面３０より下方に位置し、導電性平面９２が通る軌跡に干渉しない位置にあるから、接点部４８に不用意に外力が加わることによってばね片３４が変形したり、接点部４８の表面に不純物が付着したりし難くなる。これにより、これらのことに起因する接点部４８の導通不良が発生し難くなり、信頼性が高い良好な導通接続が行われるようになる。
【００４７】  図７に示されているように、基板９４に対するコネクタ端子１０の前側へのスライドによって接続が進行すると、押圧部４６が基板９４の板面９６および導電性平面９２に当接し、押圧部４６がこれらによって下方に押圧されることにより、ヘアピン形状部４４の弾性変形のもとに、張出片５０を支点として上片４２が梃子のように時計廻り方向に回動し、押圧部４６が溝形断面形状部２２内へ向けて移動する。この上片４２の回動により、接点部４８は、溝形断面形状部２２より上方に、つまりスライド面３０より上方に位置する側に移動、換言すると、導電性平面９２が通る軌跡に進入する側に移動する。これにより、接点部４８が基板側端子９０の導電性平面９２に弾発的に接触し、コネクタ端子１０と基板側端子９０とが導通接続される。
【００４８】  接点部４８が基板側端子９０の導電性平面９２に弾発的に接触するのは、押圧部４６が板面９６および導電性平面９２によって押し下げられた後であるから、基板９４に対するコネクタ端子１０のスライドにおいて、接点部４８と導電性平面９２とが摺接するのは、スライド区間の極一部になり、接点部４８および導電性平面９２の摩損が低減される。また、接点部４８が基板９４のエッジ部によって削られたり、傷ついたりすることが回避される。これらのことにより、繰り返してコネクタの接続及び取り外しが行われても、端子寿命が低減することを避けることができる。
【００４９】  接点部４８と平面９２とが摺接する距離は、ばね片３４の駆動タイミングによって設定できるので、ワイピング効果（端子の酸化皮膜の破壊）が必要な場合には、それに必要な適正な距離が設定されればよい。
【００５０】  上述した上片４２の動きは、張出片５０を支点とした梃子の動作によって行われるので、押圧部４６が下方に押されたことによる接点部４８の上昇軌跡が一義的に決まる。換言すると、梃子の動作の下に、押圧部４６が押圧されることにより、接点部４８が、導電性平面９２が通る軌跡内に進入する側に移動する動作が再現性よく良好に行われる。これにより、繰り返しのコネクタの接続、取り外しにおいて、接点部４８が基板側端子９０の導電性平面９２に正確に繰り返し接触することが保証される。
【００５１】  張出片５０を支点とした上片４２の上向きの回動は基端部３６が固定（不動）のヘアピン形状部４４の弾性変形のもとに行われるので、張出片５０と上面５８との接触点は回動に伴い後側、つまり折返し部４０側に変位する。上面５８が折返し部４０側に向けて上り勾配を有する斜面であることにより、張出片５０と上面５８との接触点は、上片４２の時計廻り方向の回動に伴い、後方に移動しつつ上方に移動するから、導電性平面９２に対する接点部４８の押付力が増大し、接点部４８と導電性平面９２との弾発的接触が強く行われる。このことにより、コネクタ端子１０と基板側端子９０との導通接続が高い接触圧をもってより良好に行われる。また、上片４２のレバー長の短くても接点部４８の上昇距離を稼ぐことができるので、上片４２のレバー長の短縮によりコネクタ端子１０を小型化（全長短縮）できる。
【００５２】  接点部４８が導電性平面９２に弾発的に接触しているときには、図７に示されているように、押圧部４６も導電性平面９２に弾発的に接触することができるので、押圧部４６も基板側端子９０との導通接続に寄与し、端子接続の信頼性が向上する。
【００５３】  コネクタ端子１０が基板側端子９０から離間すると、つまり、コネクタ端子１０の取り外しが行われると、あるいはコネクタ端子１０より基板９４が抜去されると、板面９６および導電性平面９２による押圧部４６の押圧力が解除されるので、ヘアピン形状部４４の弾性変形の解除の下に、ばね片３４は自由状態に戻り、接点部４８の全体が溝形断面形状部２２内にあってスライド面３０より下方に位置する状態に戻る。ヘアピン形状部４４は、その形状からして、復元性がよいばね性を有するから、上述の復元動作が再現性よく良好に行われる。
【００５４】  図８は、複数のコネクタ端子１０を含むカードエッジ用多極コネクタ６０の一例を示している。カードエッジ用多極コネクタ６０は３個のコネクタ端子１０を上下二列に上下反転して組み付けられたコネクタハウジング６２を有する。下段のコネクタ端子１０は、上向きで、筐体１４の上側に接点部４８が存在し、上段のコネクタ端子１０は、下向きで、筐体１４の下側に接点部４８が存在する。
【００５５】  基板９４は、例えば、電子制御ユニット９８のもので、上下両面に各々３個の基板側端子９０がカードエッジ端子として設けられている。カードエッジ用多極コネクタ６０の上段のコネクタ端子１０と下段のコネクタ端子１０との間に基板９４が差し込まれることにより、上段のコネクタ端子１０は基板９４の上面の基板側端子９０と導通接続されると共に、下段のコネクタ端子１０は基板９４の下面の基板側端子９０と導通接続される。
【００５６】  防水仕様のカードエッジ用多極コネクタ６０では、図８および図９に示されているように、各コネクタ端子１０に接続されているケーブル１００が個別に気密に貫通する挿通孔８２を有するゴム製のパッキング８０がカードエッジ用多極コネクタ６０のハウジング６２に気密に装着されている。
【００５７】  パッキング８０は、コネクタハウジング６２に形成されているパッキング装着用開口６４に嵌め込まれた状態で、ケーブル１００を接続された各コネクタ端子１０を筐体１４の前端側から挿通孔８２に、図９の上側に図示のコネクタ端子１０のように、ケーブル１００が挿通孔８２内に位置するまで挿入される。
【００５８】  この挿通孔８２に対するケーブル１００の挿通時には筐体１４が挿通孔８２を拡張しながら通過することになる。ここで、挿通孔８２の有効軸長Ｌａは押圧部４６と接点部４８とのスライド方向（前後方向）の離間距離Ｌｂより小さい設定、換言すると、離間距離Ｌｂは有効軸長Ｌａより大きい設定になっていることにより、筐体１４が挿通孔８２を通過する際に、押圧部４６が挿通孔８２の内周面に当接して押圧される際には、接点部４８は挿通孔８２を通過しきっていることになる。なお、挿通孔８２の有効軸長Ｌａとは、挿通孔８２の両軸端側にあってケーブル１００に密着する両軸端のシールランド８４間の軸長である。
【００５９】  この設定により、接点部４８が挿通孔８２を通過する際には、図９の下側のコネクタ端子１０として図示のように、ばね片３４は自由状態にあることになり、この通過時には接点部４８は、全体が溝形断面形状部２２内にあってスライド面３０より下方に位置し、挿通孔８２の内周面と摺接することがない。
【００６０】  これにより、パッキング８０の取付時に、挿通孔８２の内周面に付着している離型剤や潤滑剤等の不純物が接点部４８の表面に付着することが回避される。このようにして接点部４８の表面が不純物によって汚染されることが防止されるので、汚染による導通不良の発生が回避され、信頼性が高い良好な導通接続が行われるようになる。
【００６１】  なお、パッキング８０の弾発力がばね片３４を駆動させてしまうほどに強くない場合には、必ずしも上述の有効軸長Ｌａと離間距離Ｌｂとの寸法関係を設定する必要はない。
【００６２】  押圧部４６が挿通孔８２を通過する際に、押圧部４６に付着した不純物が導電性平面９２に転写される虞があるが、導電性平面９２に不純物が転写される範囲は、押圧部４６が導電性平面９２に対して摺接する範囲内であるから、押圧部４６に付着した不純物が、導電性平面９２が接点部４８に接触する部位にまで転写されることない。これにより、汚染による導通不良の発生が確実に回避され、信頼性が高い良好な導通接続が行われるようになる。
【００６３】  つぎに、コネクタ端子１０の製造方法の一例を、図１０および図１１を参照して説明する。
【００６４】  コネクタ端子１０の製造方法は、図１０に示されているように、１枚の板材を、コネクタ端子１０の全体を含む展開形状に打抜いて打抜き板Ｗを製作する打抜き工程と、図１１に示されているように打抜き板Ｗを各折曲線ａ〜ｍに沿って折曲することにより、コネクタ端子１０を成形する折曲工程とを有する。
【００６５】  折曲工程の詳細を、図１１の（１）〜（７）を参照して説明する。なお、（１）〜（７）は、各部の折曲方向を示すものであり、各工程を示すものではない。例えば、（３）に示されている折曲と（４）に示されている折曲と同一工程（１工程）で行うことができる。
【００６６】  （１）に示されているように、打抜き板Ｗの所定箇所にエンボス加工によって押圧部４６および接点部４８を突出形成し、（１）に示されている折曲線ａ〜ｄに沿った各折曲によって（２）に示されているヘアピン形状部４４を含むばね片３４を完成する。
【００６７】  （２）に示されている折曲線ｅ〜ｊに沿った各折曲によって（３）に示されているばね片３４、先端片１６Ａ、１８Ａ、２０Ａ、２４Ａ、突出片３２の折曲を行う。
【００６８】  （３）に示されている折曲線ｋに沿った折曲によって（４）に示されている右側竪片１６Ｂの折曲を行う。
【００６９】  （４）に示されている折曲線ｌに沿った折曲によって（５）に示されている右側竪片２０の折曲を行う。
【００７０】  （５）に示されている折曲線ｍに沿った折曲によって（６）に示されている連結片２４、２６、２８の折曲を行う。
【００７１】  （６）に示されている折曲線ｎに沿って底片１６と左側竪片１８との折曲を行う。これにより、基端部３６は底片１６に重なり合い、（７）に示されているコネクタ端子１０が完成する。
【００７２】  上述したように、コネクタ端子１０は、コネクタ端子１０の全体を含む展開形状に打抜いた１枚の打抜き板Ｗの折曲によって組付工程を要することなく製造することができる。これにより、生産性よくコネクタ端子１０を安価に生産することができる。
【００７３】  つぎに、本発明によるコネクタ端子の実施形態２を、図１２を参照して説明する。なお、図１２において、図３に対応する部分は、図３に付した符号と同一の符号を付けて、その説明を省略する。
【００７４】  実施形態２では、実施形態１の張出片５０が省略され、上片４２が、筐体１４によって枢支されることがないカンチアームになっている。
【００７５】  押圧部４６は、ヘアピン形状部４４が下方に向けて押圧されていない自由状態においては、図１２に示されているように、筐体１４より外方、つまりスライド面３０より上方に位置し、換言すると、導電性平面９２が通る軌跡に進入し、下方に向けて押圧されると、ヘアピン形状部４４の弾性変形、特に下片３８の弾性変形によって下方へ変位し、溝形断面形状部２２内へ向けて移動する。
【００７６】  接点部４８は、押圧部４６が下方に向けて押圧されていない自由状態においては、図１２に示されているように、全体が溝形断面形状部２２内にあってスライド面３０より下方に位置し、換言すると、導電性平面９２が通る軌跡に干渉しない位置にある。接点部４８は、押圧部４６が下方に向けて押圧されると、ヘアピン形状部４４の弾性変形によって接点部４８が溝形断面形状部２２より上方に、つまりスライド面３０より上方に位置する側に移動する。これにより、接点部４８は、導電性平面９２が通る軌跡に進入し、基板側端子９０の導電性平面９２に弾発的に接触し、基板側端子９０と導通接続される。
【００７７】  これにより、実施形態２でも、実施形態１と同等の作用効果が得られる。
【００７８】  つぎに、本発明によるコネクタ端子の実施形態３を、図１３を参照して説明する。なお、図１３において、図３に対応する部分は、図３に付した符号と同一の符号を付けて、その説明を省略する。
【００７９】  実施形態３では、実施形態１の基端部３６及び下片３８が省略され、上片４２が張出片５０によって筐体１４に枢支されている。押圧部４６と接点部４８とが、上片４２の長手方向に沿って設けられた２つの当接部となり、上片４２は、基板側端子９０に対するスライドにより導電性平面９２によって、２つの当接部の一方が押圧されることにより当接部の他方が、導電性平面９２が通る軌跡内に進入する側に移動して当該他方の当接部が基板側端子９０との接点部をなすように構成されている。
【００８０】  これにより、押圧部４６は、押圧部４６が下方に向けて押圧されていない初期状態においては、図１３に示されているように、筐体１４より外方、つまりスライド面３０より上方に位置し、導電性平面９２が通る軌跡に進入し、押圧部４６が下方に向けて押圧されると、張出片５０を支点とした上片４２の時計廻り方向の回動により溝形断面形状部２２内へ向けて移動する。
【００８１】  接点部４８は、押圧部４６が下方に向けて押圧されていない初期状態においては、図１３に示されているように、全体が溝形断面形状部２２内にあってスライド面３０より下方に位置し、換言すると、導電性平面９２が通る軌跡に干渉しない位置にある。接点部４８は、押圧部４６が下方に向けて押圧されると、上片４２が張出片５０を支点した時計廻り方向に回動変位することにより、溝形断面形状部２２より上方に、つまりスライド面３０より上方に位置する側に移動する。これにより、接点部４８は、導電性平面９２が通る軌跡に進入する側に移動し、基板側端子９０の導電性平面９２に弾発的に接触し、基板側端子９０と導通接続される。
【００８２】  これにより、実施形態３も、実施形態１と同等の作用効果が得られる。なお、実施形態３では、上片４２を反時計廻り方向に付勢するばね等による付勢手段が設けられてもよい。この場合には、自由状態で上述の初期状態が得られる。なお、実施形態３では、上片４２の筐体１４に対する枢支部において、ばね片３４と筐体１４との導通接続がなされていればよい。
【００８３】  以上、本発明を、その好適な実施形態について説明したが、当業者であれば容易に理解できるように、本発明はこのような実施形態により限定されるものではなく、本発明の趣旨を逸脱しない範囲で適宜変更可能である。例えば、筐体１４およびばね片３４の配置を前後に反転することにより、押圧部４６が接点部４８より前側（コネクタ端子１０の差込方向前側）にある構成にすることもできる。ばね片３４は、底片１６の先端から折曲形成されている等、筐体１４に対して導電状態で設けられていればよい。
【符号の説明】
【００８４】  １０    コネクタ端子  １２    ケーブル接続部  １４    筐体  １６    底片  １８    左側竪片  ２０    右側竪片  ２２    溝形断面形状部  ２４    連結片  ２６    連結片  ２８    連結片  ３０    スライド面  ３２    突出片  ３４    ばね片  ３６    基端部  ３８    下片  ４０    折返し部  ４２    上片  ４４    ヘアピン形状部  ４６    押圧部（中間部）  ４８    接点部（遊端部）  ５０    張出片（中間部）  ５４    開口（支持部）  ５８    上面（斜面）  ６０    カードエッジ用多極コネクタ  ６２    コネクタハウジング  ６４    パッキング装着用開口  ８０    パッキング  ８２    挿通孔  ９０    基板側端子  ９２    導電性平面（平面部）  ９４    プリント回路基板  ９６    板面（平面部）  ９８    電子制御ユニット  １００  ケーブル  １０２  導体
【図１】
2017069076.tif 000003
【図２】
2017069076.tif 000004
【図３】
2017069076.tif 000005
【図４】
2017069076.tif 000006
【図５】
2017069076.tif 000007
【図６】
2017069076.tif 000008
【図７】
2017069076.tif 000009
【図８】
2017069076.tif 000010
【図９】
2017069076.tif 000011
【図１０】
2017069076.tif 000012
【図１１】
2017069076.tif 000013
【図１２】
2017069076.tif 000014
【図１３】
2017069076.tif 000015
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
接続相手の端子を備えた平面部に対するスライドにより前記接続相手の端子と導通接続されるコネクタ端子であって、
前記接続相手の端子に対して相対的にスライド可能な筐体および前記筐体に接続されたばね片を含み、
前記ばね片は、押圧されていない自由状態において前記筐体より外方に位置し、前記平面部による押圧によって当該ばね片の弾性変形のもとに前記筐体内へ向けて移動する押圧部と、前記自由状態において前記筐体内に位置し、前記押圧部の前記移動に伴って前記筐体より外方に位置する側に移動して前記接続相手の端子と導通接触する接点部とを有するコネクタ端子。
【請求項２】
前記接続相手の端子は、プリント回路基板に形成され、前記平面部をなす導電性平面を備えた基板側端子である請求項１に記載のコネクタ端子。
【請求項３】
前記筐体は前記ばね片の前記押圧部と前記接点部との間の部分を支点として支持する支持部を有し、前記押圧部が力点をなし、前記接点部が作用点をなす請求項１又は２に記載のコネクタ端子。
【請求項４】
前記支持部は前記ばね片の前記押圧部側に向けて上り勾配を有する斜面を含み、前記ばね片は前記斜面に摺動可能に当接して前記押圧部と前記接点部との中間部を前記支点として前記筐体より揺動可能に支持されている請求項３に記載のコネクタ端子。
【請求項５】
前記筐体は矩形の底片と前記底片の両側縁に沿って各々延在する側竪片とによる溝形断面形状部を有し、
前記支持部は前記側竪片の各々に設けられた開口により構成され、前記中間部が前記ばね片から外方に延出して前記開口に係合する張出片により構成されている請求項４に記載のコネクタ端子。
【請求項６】
前記押圧部は前記平面部によって押圧されることにより、前記接続相手の端子との追加の接点部をなす請求項１から５の何れか一項に記載のコネクタ端子。
【請求項７】
前記筐体は矩形の底片と前記底片の両側縁に沿って各々延在する側竪片とによる溝形断面形状部を有し、
前記接点部は前記自由状態において前記溝形断面形状部内に格納される請求項１から６の何れか一項に記載のコネクタ端子。
【請求項８】
前記ばね片は、前記筐体に固定された基端部と、前記基端部から前記押圧部にかけて前記接続相手の端子に対するスライド方向の一方の側に延出し、前記押圧部から前記接点部にかけて前記接続相手の端子に対するスライド方向の他方の側に延在するように折り返されている請求項１から７の何れか一項に記載のコネクタ端子。
【請求項９】
前記筐体と前記ばね片とが一体構造である請求項１から８の何れか一項に記載のコネクタ端子。
【請求項１０】
プリント回路基板の端部に設けられた基板側端子に接触して電気的に接続する接触部を含むばね片を備えたコネクタ端子であって、
前記ばね片は、前記プリント回路基板と前記コネクタ端子との接続方向への相対的なスライド動作の初期に前記プリント回路基板の前記端部に当接し前記スライド動作に伴って傾倒する第１の片部と、前記第１の片部の前記傾倒に伴って前記基板側端子の側へ揺動し前記第１の片部の前記プリント回路基板の端部への当接から遅れて前記基板側端子に接触する第２の片部とを有することを特徴とする接触端子。
【請求項１１】
請求項１から９の何れか一項に記載のコネクタ端子の製造方法であって、
１枚の板材を前記コネクタ端子の全体を含む展開形状に打抜いて打抜き板を製作する打抜き工程と、
前記打抜き板を折曲することにより、前記コネクタ端子を成形する折曲工程とを有するコネクタ端子の製造方法。
1
【国際調査報告】
2017069076.tif 000016
2017069076.tif 000017
2017069076.tif 000018
2017069076.tif 000019